(57)【要約】【課題】  今後普遍的な治療法として世界的にも普及すると期待される自己臍帯血輸血療法に適した臍帯血用バッグシステムが求められる。特に術者が未熟児および母体への対応に集中することができ、安定して採血することができるシステムが求められる。【解決手段】  本発明は、先端側に設けられた外筒針と、基部側に設けられた内針引抜管部と、該内針引抜管部の内部に設けられた内針と、該内針引抜管部から分岐した液体流出管部とを設けた留置針および該液体流出管部に接続された採血バッグを備えた臍帯血用バッグシステムを提供する。  本発明の臍帯血用バッグシステムは、安定して臍帯血を採取することができるために、術者が未熟児や母体への対応に集中することができる。具体的には、臍帯血の採取にプラスチック製の外筒針を設けた分岐型留置針を用いるために、血流などによる衝動で血管を傷つけることがなく、貴重な臍帯血が飛散することがない。【選択図】  図１
2006246985.tif 000002
【特許請求の範囲】
【請求項１】
先端側に設けられた外筒針と、基部側に設けられた内針引抜管部と、該内針引抜管部の内部に設けられた内針と、該内針引抜管部から分岐した液体流出管部とを設けた留置針および該液体流出管部に接続された採血バッグを備えた臍帯血用バッグシステム。
【請求項２】
さらに、臍帯組織に留置針を固定する狭持体を備えた請求項１に記載の臍帯血用バッグシステム。
【請求項３】
以下の(i)および(ii)の構成からなる請求項１に記載の臍帯血用バッグシステム；
(i)  先端側に設けられた外筒針と、基部側に設けられた内針引抜管部と、該内針引抜管部の内部に設けられた内針と、該内針引抜管部から分岐した液体流出管部とを設けた留置針および該液体流出管部に接続された採血バッグを備えた第１のバッグシステム、
(ii)  該第１のバッグシステムと接続可能な接続手段と、該接続手段に接続された白血球除去フィルターと、該白血球除去フィルターに接続された少なくとも１つの保存バッグを備えた第２のバッグシステム。
【請求項４】
保存バッグの内容量が１５０ｍｌ以下である請求項３に記載の臍帯血用バッグシステム。
【請求項５】
保存バッグの内容量が５０〜１５０ｍｌである請求項３に記載の臍帯血用バッグシステム。
【請求項６】
先端側に設けられた外筒針と、基部側に設けられた内針引抜管部と、該内針引抜管部の内部に設けられた内針と、該内針引抜管部から分岐した液体流出管部を設けた留置針および該液体流出管部に接続された採血バッグと、臍帯組織に留置針を固定する狭持体を備えた臍帯血用バッグシステムを用いた臍帯血採取方法であって、母体から分離された臍帯組織に該留置針を穿刺後、該狭持体で該臍帯組織に該留置針とを固定することを特徴とする臍帯血採取方法。
【請求項７】
以下の(i)および(ii)の構成からなる臍帯血用バッグシステムを用いた臍帯血処理方法であって、該採血バッグに採取された臍帯血を、該白血球除去フィルターを介して少なくとも１つの保存バッグに移動させることを特徴とする臍帯血処理方法：
(i)  先端側に設けられた外筒針と、基部側に設けられた内針引抜管部と、該内針引抜管部の内部に設けられた内針と、該内針引抜管部から分岐した液体流出管部とを設けた留置針および該液体流出管部に接続された採血バッグを備えた第１のバッグシステム、
(ii)  該第１のバッグシステムと接続可能な接続手段と、該接続手段に接続された白血球除去フィルターと、該白血球除去フィルターに接続された少なくとも１つの保存バッグを備えた第２のバッグシステム。
【請求項８】
採血バッグに採取された臍帯血を、白血球除去フィルターを介して少なくとも１つ以上の保存バッグに移動させた後、採血バッグおよび／または白血球除去フィルターに残存した臍帯血を保存バッグに回収することを特徴とする請求項７に記載の臍帯血処理方法。
【請求項９】
以下の(i)および(ii)の構成からなるキット；
(i)  先端側に設けられた外筒針と、基部側に設けられた内針引抜管部と、該内針引抜管部の内部に設けられた内針と、該内針引抜管部から分岐した液体流出管部とを設けた留置針および該液体流出管部に接続された採血バッグを備えた第１のバッグシステム、
(ii)  該第１のバッグシステムと接続可能な接続手段と、該接続手段に接続された白血球除去フィルターと、該白血球除去フィルターに接続された少なくとも１つの保存バッグを備えた第２のバッグシステム。
【発明の詳細な説明】
【技術分野】
【０００１】
本発明は、臍帯血用バッグシステムおよびキットに関する。具体的には、先端側に設けられた外筒針と、基部側に設けられた内針引抜管部と、該内針引抜管部の内部に設けられた内針と、該内針引抜管部から分岐した液体流出管部とを設けた留置針および該液体流出管部に接続された採血バッグを備えた臍帯血用バッグシステムに関する。さらに、該バッグシステムを用いた臍帯血採取方法および臍帯血処理方法に関する。
【背景技術】
【０００２】
近年、わが国において、出生体重２，５００ｇ以下の未熟児は年間約１０万人出生する。これらの未熟児、特に出生体重１，５００ｇ以下の極低体重出生児（ＶＬＢＷＩ：Very Low Birth Weight Infant）は、新生児特定集中治療室（ＮＩＣＵ：Neonatal Intensive Care Unit）における頻回の採血や急激な体重増加などが原因で、ほとんど全例が貧血に罹患する。この疾患は未熟児貧血として認知され、古くから輸血治療の対象となり、１９９０年の初頭まで、わが国ではＶＬＢＷＩの約４０％が、欧米では約６０〜８０％が頻回の輸血を受けていた。未熟児貧血の主な症状としては、無呼吸発作、多呼吸、免疫力の低下、頻脈、体重増加不良および皮膚の蒼白などが挙げられる。
【０００３】
近年、未熟児貧血の治療には、赤血球系造血に対して選択的に強力な増強作用を示すヒトリコンビナントエリスロポエチン製造が頻用され、輸血回数の減少は認められているものの、輸血そのものを完全に回避するに至っていない。
【０００４】
わが国では１９９２年に発足した小児輸血療法研究会において、未熟児の早期貧血に対する輸血ガイドラインが作成され、１９９９年に厚生省医薬安全局が小児に対する血液製剤の使用指針について通達された。
【０００５】
しかしながら、未熟児に対しての成人血液による同種血輸血は一種の臓器移殖であり、免疫学的にも未熟で抵抗力に乏しい未熟児には、血清肝炎およびエイズ（ＡＩＤＳ）などwindow periodによるウイルス感染症や重症の免疫片対宿主病（transfusion-associated graft-versus-host disease）などの輸血に伴う不可避な副作用が危惧される。
このような輸血に伴う副作用を回避するために、既に成人に対しては、貯血式自己血輸血が一般に普及している。
【０００６】
一方で、未熟児に対しては、成人血ではなく臍帯血を使用する自己臍帯血輸血療法が提案されている。臍帯血は、成人血より酸素解離曲線が左方移動しているため、低酸素状態下で酸素の運搬能が高く末梢組織内呼吸に有利に働く。このことは、酸素分圧が３０ｍｍＨｇ前後と低い実際の胎児環境において、中枢神経系を含む諸臓器の発達発育のために有利なだけでなく、種々のストレスによる酸素性虚血性臓器障害をも回避するために合目的である。
【０００７】
本発明者は、自己臍帯血輸血療法の症例を重ね、同治療法の有効性を実証するに至っている。具体的には、無呼吸発作の回数減少、成長遅延の改善、循環器系への負担が減少し全身状態良好および退院期間の短縮などが挙げられる。したがって、自己臍帯血輸血療法は、今後同種血輸血を回避することができる普遍的な治療法として世界的にも普及すると期待される。
【０００８】
一般的に臍帯血の採取方法は、
(A)  臍帯血管に採血針を穿刺して、シリンジなどの吸引力により回収する方法（特許文献１）
(B)  特許文献２〜５に開示された胎盤保持器具を用いて臍帯を垂下げ、臍帯血管に採血針を穿刺して、落差を利用して回収する方法、
が挙げられる。
しかしながら、(A)の方法は、急速に吸引すると血管がつぶれて閉鎖するおそれがある。したがって、落差を利用して回収する(B)の方法で採血することが望ましい。
【０００９】
また、これらの採取作業は、出産作業と平行して行う。ここで、帝王切開による未熟児出産の場合、出産後の未熟児や母体の対応が最重要である。つまり、採血現場から離れることのない一般の採血作業とは異なり、採血開始以降は基本的に放置した状態となる。
臍帯血の採取の場合、上述したように臍帯を垂れ下げた状態で採血を行うために、血流の衝動などにより臍帯や採血針が揺動することがある。この時、採血針が金属製の針であると、血管を傷つけ、血液が飛散するおそれがある。
【００１０】
さらに、自己臍帯血輸血療法のための臍帯血の採血に用いるバッグは、全て成人血用のバッグシステムを使用しているのが現状である。つまり、容量の大きいバッグに臍帯血を収容し、輸血に使用するために、輸血に使用されなかった余った臍帯血は再度保存する。この時、ウイルスや雑菌などに汚染されるおそれがある。
【００１１】
一方で、特許文献６などのバッグシステムが開示されているが、これらのバッグセットは臍帯血内の造血幹細胞や前駆細胞などを分離、保存するためのバッグシステムであり、自己臍帯血輸血療法のためのシステムとは異なる。
【００１２】
【特許文献１】特開平０７−１８４９９１号公報
【特許文献２】特開平１０−１０８８６９号公報
【特許文献３】特開平１０−１５５８０９号公報
【特許文献４】特開平１１−００９５７６号公報
【特許文献５】特開平１１−０３３０１６号公報
【特許文献６】特開平１０−０００２２４号公報
【発明の開示】
【発明が解決しようとする課題】
【００１３】
したがって、今後普遍的な治療法として世界的にも普及すると期待される自己臍帯血輸血療法に適した臍帯血用バッグシステムの開発が求められている。特に採血時に臍帯血管を傷つけるおそれがなく、安定して採血することができ、術者が安心して未熟児および母体への対応に集中することができるバッグシステムの開発が求められている。好ましくは、保存バッグに臍帯血輸血に使用されなかった余った臍帯血がウイルスおよび雑菌などに汚染されるおそれのないバッグシステムの開発が求められている。
【課題を解決するための手段】
【００１４】
本発明は、
（１）  先端側に設けられた外筒針と、基部側に設けられた内針引抜管部と、該内針引抜管部の内部に設けられた内針と、該内針引抜管部から分岐した液体流出管部とを設けた留置針および該液体流出管部に接続された採血バッグを備えた臍帯血用バッグシステム、
（２）  さらに、臍帯組織に留置針を固定する狭持体を備えた（１）に記載の臍帯血用バッグシステム、
（３）  以下の(i)および(ii)の構成からなる（１）に記載の臍帯血用バッグシステム；
(i)  先端側に設けられた外筒針と、基部側に設けられた内針引抜管部と、該内針引抜管部の内部に設けられた内針と、該内針引抜管部から分岐した液体流出管部とを設けた留置針および該液体流出管部に接続された採血バッグを備えた第１のバッグシステム、
(ii)  該第１のバッグシステムと接続可能な接続手段と、該接続手段に接続された白血球除去フィルターと、該白血球除去フィルターに接続された少なくとも１つの保存バッグを備えた第２のバッグシステム、
（４）  保存バッグの内容量が１５０ｍｌ以下である（３）に記載の臍帯血用バッグシステム、
（５）  保存バッグの内容量が５０〜１５０ｍｌである（３）に記載の臍帯血用バッグシステム、
（６）  先端側に設けられた外筒針と、基部側に設けられた内針引抜管部と、該内針引抜管部の内部に設けられた内針と、該内針引抜管部から分岐した液体流出管部を設けた留置針および該液体流出管部に接続された採血バッグと、臍帯組織に留置針を固定する狭持体を備えた臍帯血用バッグシステムを用いた臍帯血採取方法であって、母体から分離された臍帯組織に該留置針を穿刺後、該狭持体で該臍帯組織に該留置針とを固定することを特徴とする臍帯血採取方法、
（７）  以下の(i)および(ii)の構成からなる臍帯血用バッグシステムを用いた臍帯血処理方法であって、該採血バッグに採取された臍帯血を、該白血球除去フィルターを介して少なくとも１つの保存バッグに移動させることを特徴とする臍帯血処理方法：
(i)  先端側に設けられた外筒針と、基部側に設けられた内針引抜管部と、該内針引抜管部の内部に設けられた内針と、該内針引抜管部から分岐した液体流出管部とを設けた留置針および該液体流出管部に接続された採血バッグを備えた第１のバッグシステム、
(ii)  該第１のバッグシステムと接続可能な接続手段と、該接続手段に接続された白血球除去フィルターと、該白血球除去フィルターに接続された少なくとも１つの保存バッグを備えた第２のバッグシステム、
（８）  採血バッグに採取された臍帯血を、白血球除去フィルターを介して少なくとも１つ以上の保存バッグに移動させた後、採血バッグおよび／または白血球除去フィルターに残存した臍帯血を保存バッグに回収することを特徴とする（７）に記載の臍帯血処理方法、
および、（９）  以下の(i)および(ii)の構成からなるキット；
(i)  先端側に設けられた外筒針と、基部側に設けられた内針引抜管部と、該内針引抜管部の内部に設けられた内針と、該内針引抜管部から分岐した液体流出管部とを設けた留置針および該液体流出管部に接続された採血バッグを備えた第１のバッグシステム、
(ii)  該第１のバッグシステムと接続可能な接続手段と、該接続手段に接続された白血球除去フィルターと、該白血球除去フィルターに接続された少なくとも１つの保存バッグを備えた第２のバッグシステムである。
【発明の効果】
【００１５】
本発明の臍帯血用バッグシステムは、安定して臍帯血を採取することができるために、術者が未熟児や母体への対応に集中することができる。具体的には、臍帯血の採取にプラスチック製の外筒針を設けた分岐留置針を用いるために、血流による衝動で血管を傷つけることがなく、貴重な臍帯血が飛散することがない。
また、臍帯血保存時におけるウイルスおよび雑菌などに汚染されるおそれがなく、免疫力の弱い未熟児に対して適切な処置を行うことができる。具体的には、血液を保存するバッグが一般成人の採血に用いるバッグよりも容量が小さく、小分けして使用するために、長時間室温下に置かれることがなく、ウイルスおよび雑菌などに汚染のリスクを抑えることができる。
【発明を実施するための最良の形態】
【００１６】
以下に本発明を図面に基づいて説明する。
図１に示した本発明の臍帯血用バッグシステムは、先端側１１に設けられた外筒針１１１と、基部側１２に設けられた内針引抜管部１２１と、該内針引抜管部１２１の内部に設けられた内針１３と、該内針引抜管部から分岐した液体流出管部１４とを設けた留置針１および該液体流出管部１４に接続された採血バッグ２を備えたことを特徴としている。
【００１７】
上記留置針１は、先端側１１にプラスチック製の外筒針１１１が設けられ、基部側１２に設けられた内針引抜管部１２１と、該内針引抜管部１２１の内部に設けられたアルミ、アルミ合金、チタンおよびチタン合金などの金属製の内針１３と、該内針引抜管部１２１から分岐した液体流出管部１４とを設けた公知の分岐留置針である。つまり、内針１３を外筒針１１１に挿入した状態で経皮的に穿刺し、外筒針１１１を血管内に挿入した後、内針１３を内針引抜管部１２１から引き抜くのと同時に、内針引抜管部１２１に設けた弾性部材、もしくはクランプ手段および蓋材を併用した手段などで内針引抜管部１２１を塞ぐことにより、血液が外部に飛散するのを防止し、該分岐型留置針基部の液体流出管部１４を経由して採血される機能を有するものであれば特に限定されるものではない。
【００１８】
上記プラスチックとは、生体適合性、抗菌性および可撓性に優れた軟質系樹脂であることが好ましい。例えば、ポリウレタンおよびエチレン−ポリテトラフルオロエチレン共重合体などが挙げられるが、これに限定されるものではない。外筒針がプラスチック製であるため、血流による衝動により血管を傷つけず、貴重な臍帯血が飛散する恐れがない。また、術者は安心して、未熟児や母体への対応に集中することができる。
【００１９】
さらに、上記採血バッグ２は、上記留置針基部の液体流出管部１４とあらかじめ接続されている。このため、臍帯組織に穿刺後、無菌的に採血バッグ２に臍帯血を導入することができる。本発明における接続とは、内部的な連通を可能としたものであればよく、一般的には、チューブ３を介して接続することが挙げられるが、これに限定されるものではない。上記チューブ３の材質は、汎用の医療用チューブと同種のものを使用すればよく、例えばポリ塩化ビニル製のチューブが挙げられるが、これに限定されるものではない。また、上記採血バッグの材質は、公知の血液バッグと同種のものを選択すればよく、ポリエチレンおよびポリ塩化ビニルなどが挙げられる。上記採血バッグ２の容量は、未熟児出産における臍帯血の採血量が、経膣分娩では約７０ｍｌ、帝王切開では約９０ｍｌ（最大で１４０ｍｌ）であること、および後述する薬液が採血バッグにあらかじめ収容され、採取された臍帯血と混合することを考慮するに、約１００〜４００ｍｌ、好ましくは約１５０〜２５０ｍｌである。さらに、上記採血バッグには血液保存に適した薬液ａを含んでもよい。該薬液ａとしては、全血製剤（日本標準商品分類番号：８７６３４１）、赤血球保存液（生物学的製剤基準血液保存液Ａ液ともいう、日本標準商品分類番号：８７３３３９）および血液成分製剤（日本標準商品分類番号：８７６３４２）などが挙げられ、目的に応じて使い分けることができる。また、該薬液ａの含有量は、輸血時における人体への影響を考慮するに、約１０〜６０ｍｌ、好ましくは約２０〜３０ｍｌである。さらに、チューブ３１には、連通ピースまたはクランプなどの液流制御手段ｂを設けてもよい。
【００２０】
また、臍帯血採取時に分岐留置針１が臍帯組織から抜け落ちないようにするために、図２に示すような狭持体（図２）で臍帯組織に留置針１を固定することが好ましい。上記狭持体は、臍帯組織から留置針１が脱落せず、臍帯血管を押しつぶすさない程度の狭持力を有するものであれば、特に限定されるものではない。上記留置針１の外筒針２が金属針よりも太いために、臍帯組織に留置針１を固定することが容易となる。したがって、本発明は先端側１１に設けられた外筒針１１１と、基部側１２に設けられた内針引抜管部１２１と、該内針引抜管部の内部に設けられた内針１３と、該内針引抜管部１２１から分岐した液体流出管部１４を設けた留置針１と、該液体流出管部１４に接続された採血バッグ２と、臍帯組織に留置針を固定する狭持体を備えたものを含む。
【００２１】
さらに、図３に示すように本発明の臍帯血用バッグシステムは、以下の(i)および(ii)の構成からなることを特徴としている。
(i)  先端側１１に設けられた外筒針１１１と、基部側１２に設けられた内針引抜管部１２１と、該内針引抜管部の内部に設けられた内針１３と、該内針引抜管部１２１から分岐した液体流出管部１４とを設けた留置針１および該液体流出管部１４に接続された採血バッグ２を備えた第１のバッグシステムＡ、
(ii)  該第１のバッグシステムＡと接続可能な接続手段４と、該接続手段４に接続された白血球除去フィルター５と、該白血球除去フィルター５に接続された少なくとも１つの保存バッグ６を備えた第２のバッグシステムＢ。
【００２２】
ここで、第１のバッグシステムＡとは、先端側１１に設けられた外筒針１１１と、基部側１２に設けられた内針引抜管部１２１と、該内針引抜管部の内部に設けられた内針１３と、該内針引抜管部１２１から分岐した液体流出管部１４とを設けた留置針１および該液体流出管部１４に接続された採血バッグ２を備える。上記留置針１および採血バッグ２は、上述のものであれば、特に限定されるものではない。また、上記第１のバッグシステムＡは、後述する第２のバッグシステムＢに接続可能なポートｃ１または被コネクター手段を具備することが好ましいが、これに限定されるものではない。
【００２３】
図４に、図３とは異なる第１のバッグシステムＡの例を示す。採血バッグ２の上部はポートに収束する形でテーパー部２１を設けることにより、臍帯血を無駄なく移動、回収することができる。さらに、ポートには分岐路ｄ１が設けられており、一方の接続口はチューブ３１を介して分岐留置針基部の液体流出管部１４と接続される。もう一方の接続口は、チューブ３２を介して、第２のバッグシステムＢと接続可能な被コネクター手段ｃ２を設けている。
【００２４】
次に図５を用いて、第２のバッグシステムＢについて説明する。第２のバッグシステムには、上記第１のバッグシステムに接続可能な接続手段４を有する。上記接続手段４は、金属針、プラスチック針およびコネクターなどが挙げられるが、術者の安全性を考慮するにプラスチック針またはコネクターが好ましい。該接続手段４は、上記第１のバッグシステムＡに接続可能な構造であれば特に限定されるものではなく、第１のバッグシステムＡへの接続箇所は、上記採血バッグ２に採取された臍帯血を、第２のバッグシステム内への移動を可能にするものであれば、特に限定されるものではない。
【００２５】
上記接続手段４からはチューブ３３を介して白血球除去フィルター５を設けている。該白血球除去フィルター５は、臍帯血中における白血球のうち少なくとも７０％以上を除去するものである。該白血球除去フィルター５のフィルター部材は、多孔性のものを用いればよく、例えば、織布、不織布などが挙げられる。また、その材質は例えばポリエチレンテレフタレートなどのポリエステル系樹脂ならびにポリエチレンおよびポリプロピレンなどのポリオレフィン系樹脂が挙げられる。さらに、フィルターの容量は、臍帯血の流量を考慮するに、約１〜４０ｍｌ、好ましくは約１〜２０ｍｌであり、特に好ましくは約１〜１０ｍｌであるが、これに限定されるものではない。上記織布および不織布に用いる繊維の径およびフィルターの容量に対するその充填率は、上述した白血球除去率を考慮するに、約１〜４０μｍ、好ましくは約５〜３０μｍのものを、充填率約５０〜９９％、好ましくは約７０〜９０％充填することが好適であるが、これに限定されるものではない。以上のことから、上記白血球除去フィルターは、市販の白血球除去フィルター（容量約２０ｍｌ程度）でも十分にその効果を奏することができる。
【００２６】
さらに、上記白血球除去フィルター５からは、チューブ３４を介して分岐路ｄ２に接続されている。さらに、分岐路ｄ２からはチューブ３５、３６を介して、保存バッグ６１、６２を設けている。該保存バッグの材質は、公知の血液バッグと同種のものを選択すればよく、ポリエチレンおよびポリ塩化ビニルなどが挙げられる。
【００２７】
上記保存バッグ６の個数は少なくとも１つ、好ましくは２〜４つ、特に好ましく２つである。また、容量は約１５０ｍｌ以下、好ましくは約５０〜１５０ｍｌ、さらに好ましくは約７５〜１２５ｍｌである。これらの数値範囲は複数回の症例と、以下に示す５つの条件より求められたものであり、決して容易に想到できるものではない。
１．  未熟児出産における臍帯全血の採取量が、経膣分娩では約７０ｍｌ、帝王切開では約９０ｍｌ（最大で１４０ｍｌ）である。
２．  さらに採取された臍帯血に上記の薬液ａおよび後述する生理食塩水が混合され、その容量は増加する。
３．  未熟児の自己臍帯輸血療法における適切な総赤血球輸血量が約５〜２０ｍｌ／ｋｇ程度であり、赤血球量は全血液量の約５０％を占める。
４．  保存バッグ６は、なるべく容量の小さいバッグで小分けにすることで、輸血後に臍帯血が余らないようにし、余った臍帯血がウイルスに感染するリスクを抑制する必要がある。
５．  一方で、術者は採血に不慣れな産婦人科医または小児科医であるために、保存バッグの個数が多くなると、逆に操作の煩雑性が増すことが懸念され、その使用を拒まれる可能性がある。
【００２８】
さらに、術者の操作性の向上を考慮するに、上記保存バッグ６には、チューブを介して白血球除去フィルター５と接続するためのポートと、臍帯血を輸血するために、シリンジなどで再度採取するためのポートを具備していることが好ましいが、これに限定されるものではない。さらに、チューブ３には、連通ピースまたはクランプなどの液流制御手段ｂを設けてもよい。
【００２９】
また、本発明の好ましい形態を図６に示す。図６に示した第２のバッグシステムＢには接続手段４と、白血球除去フィルター５との間に三方活栓７を設けている。上記三方活栓７は、３つの接続口を有し、そのうち２つまたは３つの接続口を連通する手段を備えたものであれば、これに限定されるものではない。上記三方活栓７の第１の接続口７１は、上記接続手段４に、上記第２の接続口７２は、上記白血球除去フィルター５にそれぞれチューブ３３１、３３２を介して接続される。また、残りの第３の接続口７３は薬液を注入するための注入口となる。上記第３の接続口７３から液体を注入することにより、上記採血バッグ２および／または上記白血球除去フィルター５に残存した臍帯血も回収することができる。また、注入する液体は、上記薬液ａおよび生理食塩水などが挙げられる。好ましくはプレフィルドシリンジ化されている面で、生理食塩水であるが、これに限定されるものではない。したがって、上記の三方活栓７を導入した臍帯血用バッグシステムは、生理食塩水のプレフィルドシリンジと組み合わせてもよい。
【００３０】
図７は、図５および図６に示した第２のバッグシステムＢにおける保存バッグ７とは異なる形態である。保存バッグ６の上部はポートに収束する形でテーパー部を設けている。さらに、ポートには分岐路ｄ３が設けられており、分岐路ｄ３の一方の接続口はチューブ３５１を介して図５および図６における分岐路ｄ２と接続される。分岐路ｄ３のもう一方の接続口は、チューブ３５２を介して、後述する血液濾過手段ｅを設けている。該血液濾過手段ｅは、臍帯血を保存する際に形成された血球凝集塊を除去するものであれば、特に限定されるものではない。さらに、血液濾過手段ｅからチューブ３５３を介して血液採取用ポートｆを設ける。該血液採取用ポートｆは、輸血に用いるシリンジが接続可能な構造であれば特に限定されるものではない。
【００３１】
図８は、図５、図６および図７の第２のバッグシステムＢにおける保存バッグ６とは異なる形態である。保存バッグ６の上部はポートに収束する形でテーパー部を設ける。さらに、ポートには分岐路ｄ３を設けており、分岐路ｄ３の一方の接続口にはポートｇを設けている。該ポートｇは、例えば臍帯血自己輸血前に溶血の有無を調べる時にサンプリングするためのポートとして用いることができるが、これに限定されるものではない。さらに、分岐路ｄ３のもう一方の接続口には、チューブ３５１１を介して分岐路ｃ４に接続される。分岐路ｄ４における一方の接続口は、チューブ３５１２を介して図５および図６における分岐路ｄ２と接続される。分岐路ｄ４におけるもう一方の接続口は図７と同様に、血液濾過手段ｅおよび血液採取用ポートｆにチューブ３５２、３５３を介して接続される。
【実施例】
【００３２】
以下に本発明の臍帯血バッグシステムおよび該バッグシステムを用いた臍帯血の採取方法、処理方法および自己臍帯血輸血療法について、図１、３および図９〜１４に基づいて説明するが、本発明はこれらに限定されるものではない。
【００３３】
実施例１：図１の臍帯血用バッグシステム
図１における本発明臍帯血用バッグシステムは、先端側１１に設けられた外筒針１１１と、基部側１２に設けられた内針引抜管部１２１と、該内針引抜管部１２１の内部に設けられた内針１３と、該内針引抜管部から分岐した液体流出管部１４とを設けた留置針１および該液体流出管部１４に接続された採血バッグ２を備える。該液体流出管部１４は、該採血バッグ２に、ポリ塩化ビニル製のチューブ３１により接続されている。チューブ３１には連通ピースｂ１と、クランプｂ２１が設けられている。また、採血バッグ２の内部には全血製剤ａ（日本標準商品分類番号：８７６３４１）が約２８ｍｌ充填されている。
【００３４】
実施例２：図３の臍帯血用バッグシステム
図３における本発明臍帯血用バッグシステムの第１のバッグシステムＡには、先端側１１に設けられた外筒針１１１と、基部側１２に設けられた内針引抜管部１２１と、該内針引抜管部１２１の内部に設けられた内針１３と、該内針引抜管部から分岐した液体流出管部１４とを設けた留置針１および該液体流出管部１４に接続された採血バッグ２を備える。該液体流出管部１４は、該採血バッグ２に、ポリ塩化ビニル製のチューブ３１により接続されている。チューブ３１には連通ピースｂ１と、クランプｂ２１が設けられている。また、採血バッグ２の内部には全血製剤ａ（日本標準商品分類番号：８７６３４１）が約２８ｍｌ充填されている。
【００３５】
一方、第２のバッグシステムＢは、上記第１のバッグシステムＡの採血バッグ２と接続可能なコネクター４と、該コネクターとポリ塩化ビニルチューブ３２１にて接続された三方活栓７と、該三方活栓７とポリ塩化ビニルチューブ３２２にて接続された白血球除去フィルター５（容量約２０ｍｌ）と、該白血球除去フィルター５と塩化ビニルチューブ３４、３５、３６にて接続され、並列に配列した２つの保存バッグ６１、６２（ポリ塩化ビニル製、容量：約１００ｍｌ）を備える。また、チューブ３３、３５、３６にはクランプｂ２２、ｂ２３、ｂ２４がそれぞれ設けられている。
【００３６】
実施例３：臍帯血の採取
以降の実施例では、本発明の臍帯血用バッグシステムを用いて、臍帯血の採取、処理および自己臍帯血輸血療法について、図９〜１４で説明する。これらの実施にあたっては、まず、事前の各保険医療施設の倫理委員会の承認および患児の保護者に対する十分なインフォームドコンセントが不可避である。ここで、本発明におけるインフォームドコンセントとは、患児の保護者に自己臍帯血輸血療法について十分な説明を行い、保護者が納得した上で、自己決定により同意を得ることで倫理的な問題を解決していることを意味する。
【００３７】
(I)  後胎盤娩出前に臍帯児側端を２ヵ所クランプし、その間を切離してまず児を取り上げる。帝王切開の場合は、児切離後に絨毛血管を傷つけないように胎盤を剥離し、膿盆に胎盤を移してから以下の作業を行う。
(II)  臍帯血のウイルス感染のリスクを抑制するために、外用消毒剤（日本標準商品分類番号：８７２６１２）を浸したガーゼで臍帯を児側端から胎盤側に向かって清拭し、次に清潔な乾ガーゼで同様に清拭する。
(III)  切離した胎盤および臍帯を、落差で臍帯血を採取できるようにセッティングする。例えば、特開平１０−１０８８６９号公報、特開平１０−１５５８０９号公報、特開平１１−００９５７６号公報および特開平１１−０３３０１６号公報などに開示されている胎盤保持器具を用いて、臍帯を垂れ下げる方法が好ましいが、これに限定されるものではない。
(IV)  留置針１で臍帯静脈を穿刺する。この時、図２に示すような狭持体を用いれば、臍帯から針が抜け落ちる心配がなく好ましいが、これに限定されるものではない。次に、内針１３を引き抜く。そして、連通ピースｂ１を折ることにより採血を開始する（図９）。
(V)  採血バッグ２に収容された血液保存の薬液ａと、採血された臍帯血と攪拌、混合する。
(VI)  採血が終了したら、チューブ３１に設けた液流制御手段ｂ１をクランプする。この時、特開平１１−００９５７６号公報および特開平１１−０３３０１６号公報などに開示されている胎盤保持器具を用いた場合、胎盤に残った血液を容易に視認することができ便利である。また、胎盤の赤黒くなっている部分を押すことにより、無駄なく臍帯血を採取することができて好ましいが、これに限定されるものではない。
【００３８】
実施例４：臍帯血の処理
(I)  第２のバッグシステムＢの接続手段４を、第１のバッグシステムＡの採血バッグ２に接続する（図１０）。
(II)  次に、採血バッグ２内の臍帯血を、白血球除去フィルター５を介して保存バッグ６１、６２に移す（図１１）。この時、接続手段４と、白血球除去フィルター５との間に三方活栓７を設けている場合（図４）は、第１の接続口７１と第２の接続口７２が開通し、第３の接続口７３が閉鎖している状態で作業しなければならないことは明らかである。
(III)  以上の処理が終了したら、チューブ３４、３５に設けた液流制御手段ｂ２２、ｂ２３、ｂ２４をクランプし、それぞれの保存バッグ６１、６２を密封する。密封方法は、臍帯血が外部に漏洩せず、臍帯血へのウイルス感染のリスクを抑制できるものであれば特に限定されるものではなく、例えばシーラーにてシールする方法が挙げられる。
(IV)  保存バッグ６１、６２は、４℃において保管する。
【００３９】
さらに、必要に応じて上記臍帯血の処理工程(II)と、(III)との間に、採血バッグ２および白血球除去フィルター５に残存した臍帯血の回収する工程を設ける。例えば、図５に示すように、第２のバッグシステムＢにおいて接続手段４と、白血球除去フィルター５がチューブを介して接続されている場合は、採血バッグ２に設けたポートなどから、液体注入手段ｉを用いて内部に薬液ａまたは生理食塩水ｊを注入し、採血バッグ２および白血球除去フィルター５内の残存した臍帯血も回収することが好ましい（図１２）。
一方で、図６に示すように、第２のバッグシステムＢにおいて接続手段４と、白血球除去フィルター５との間に三方活栓７を設けている場合は、臍帯血を保存バッグ６１、６２に移動後、上記三方活栓を第１の接続口７１と第３の接続口７３が開通し、第２の接続口７２を閉鎖した状態にし、第３の接続口７３よりシリンジなどの液体注入手段ｉを用いて内部に薬液ａまたは生理食塩水ｊを注入し、採血バッグ２内の残存した臍帯血を回収することができる。次に、上記三方活栓を第１の接続口７１と第２の接続口７２が開通し、第３の接続口７３を閉鎖した状態にし、上記採血バッグ内の液体を、白血球除去フィルター５を介して、保存バッグ６１、６２に回収することができる（図１３）。
【００４０】
実施例５：自己臍帯血輸血療法
(I)  念の為に、輸血前にカリウム値などを測定することにより溶血の有無を調べることが好ましいが、これに限定されるものではない。特に上記実施例３および４に用いたバッグシステムが、図８に示すような第２のバッグシステムＢである場合、保存バッグ７にサンプリングポートｅを設けているために、容易に検査することができて好ましいが、これに限定されるものではない。
(II)  使用前に保管庫内で、採取用ポートを下にして保存バッグを静置し、赤血球の濃度が高い分画ｋと、血漿および全血製剤に分離し、赤血球の濃度が高い分画ｋをシリンジなどで採取する（図１４）。この時、上記実施例３および４に用いたバッグシステムが、図６および図７に示すように、血液濾過手段ｆを設けている場合、臍帯血保存時に形成された凝集塊を除去することができて好ましいが、これに限定されるものではない。
(III)  患児の血清Ｋ値やbase excessが正常化し、腎機能が安定したことを確認した後、２０ｍｌ／ｋｇを限度に約１〜２ｍｌ／ｋｇ／ｈで輸血する。ただし、外科手術適応の場合はこの限りではない。また、分離した赤血球が余ってしまった場合は、シリンジなどで採取し、そのまま冷蔵保存するなどの対応をし、次回の輸血に用いる。このことにより、室温に晒される臍帯血は必要最低限であるために、ウイルスに感染するおそれがない。
(IV)  輸血時間が６時間以上にわたる場合には、血液を分割して輸血し、輸血血液を６時間以上室温に置かないように注意する。
【産業上の利用可能性】
【００４１】
本発明の臍帯血用バッグシステムは、容易に臍帯血を採取、保存し、自己臍帯血輸血療法を行うことができる。したがって、自己臍帯血輸血療法の世界的普及に貢献することが期待される。
【図面の簡単な説明】
【００４２】
【図１】本発明の臍帯血採取用システムの実施形態を示す図面である。
【図２】本発明の臍帯組織と分岐型留置針を狭持固定する器具の図面である。
【図３】本発明の第１のバッグシステムと、第２のバッグシステムからなる臍帯血採取用システムの実施形態を示す図面である。
【図４】本発明の第１のバッグシステムの図２とは異なる実施形態を示す図面である。
【図５】本発明の第２のバッグシステムの実施形態を示す図面である。
【図６】本発明の第２のバッグシステムの図５とは異なる実施形態を示す図面である。
【図７】本発明の第２のバッグシステムの保存バッグの図５および６とは異なる他の実施形態を示す図面である。
【図８】本発明の第２のバッグシステムの保存バッグの図５〜７とは異なる他の実施形態を示す図面である。
【図９】本発明の臍帯血採取用システムにおいて、臍帯血を採取した実施形態を示す図面である。
【図１０】本発明の臍帯血採取用システムにおいて、第１のバッグシステムと、第２のバッグシステムを接続した実施形態を示す図面である。
【図１１】本発明の臍帯血採取用システムにおいて、採血された臍帯血を、白血球除去フィルターを介して保存バッグに移動させた実施形態を示す図面である。
【図１２】本発明の臍帯血採取用システムにおいて、採血バッグまたは白血球除去フィルターに残存した臍帯血を回収する実施形態を示す図面である。
【図１３】本発明の臍帯血採取用システムにおいて、図１２とは異なる採血バッグまたは白血球除去フィルターに残存した臍帯血を回収する実施形態を示す図面である。
【図１４】本発明の臍帯血採取用システムにおいて、保存バッグの臍帯全血を赤血球成分と、他の血液成分に分離し、自己臍帯血輸血療法を行うまでの実施形態を示す図面である。
【符号の説明】
【００４３】
１      分岐型留置針
１１    先端部
１１１  外筒針
１２    基部
１２１  液体流出管部内
１３    内針
１４    針引抜管部
２      採血バッグ
３      チューブ
４      接続手段
５      白血球除去フィルター
６      保存バッグ
７      三方活栓
７１    第１の接続口
７２    第２の接続口
７３    第３の接続口
ａ      薬液
ｂ      液流制御手段
ｃ１    接続ポート
ｃ２    被コネクター手段
ｄ      分岐管
ｅ      血液濾過手段
ｆ      血液採取用ポート
ｇ      サンプリングポート
ｈ      臍帯血（薬液ａとの混合物）
ｉ      液体注入手段
ｊ      生理食塩水
ｋ      赤血球濃度の高い分画
【図１】
2006246985.tif 000003
【図２】
2006246985.tif 000004
【図３】
2006246985.tif 000005
【図４】
2006246985.tif 000006
【図５】
2006246985.tif 000007
【図６】
2006246985.tif 000008
【図７】
2006246985.tif 000009
【図８】
2006246985.tif 000010
【図９】
2006246985.tif 000011
【図１０】
2006246985.tif 000012
【図１１】
2006246985.tif 000013
【図１２】
2006246985.tif 000014
【図１３】
2006246985.tif 000015
【図１４】
2006246985.tif 000016